(57)【要約】【課題】他人の目を気にすることなく、使用時の体勢にも大きな制限もなく用足ができる携帯用小便器を提供する。【解決手段】尿受けカップ１０と、尿溜め容器２０と、この両者の間を接続する尿移送用チューブ３０と、このチューブ３０を通し、尿受けカップ１０に排出された尿を吸引し、尿溜め容器２０に移送するために尿溜め容器２０内を減圧するよう設けられた減圧ポンプ４０とを備える構成とした。用足しで、身体にあてがうべきは、尿受けカップ１０であるが、尿受けカップ１０と尿溜め容器２０とが、従来のような一体構造でなく、尿移送用チューブ３０を介して別のものとなっているため、例えば、ズボン中で尿受けカップ１０を保持させ得るから、他人の目を気にすることなく用足しできる。減圧ポンプ４０の吸引によるから、尿溜め容器２０が尿受けカップ１０より高位にあってもその使用ができる。【選択図】図１
2018130359.tif 000002
【特許請求の範囲】
【請求項１】
尿受けカップと、尿溜め容器と、該尿受けカップと該尿溜め容器との間を接続する可撓性のある尿移送用チューブと、該尿移送用チューブを通して該尿受けカップに排出された尿を吸引し、前記尿溜め容器に移送するために該尿溜め容器内を減圧するよう設けられた減圧ポンプとを備えることを特徴とする携帯用小便器。
【請求項２】
前記減圧ポンプの吸気口と前記尿溜め容器とが、可撓性のある減圧用チューブで接続されていることを特徴とする請求項１に記載の携帯用小便器。
【請求項３】
前記減圧ポンプは手動ポンプであることを特徴とする請求項１又は２のいずれか１項に記載の携帯用小便器。
【請求項４】
前記減圧ポンプは電動ポンプであることを特徴とする請求項１又は２のいずれか１項に記載の携帯用小便器。
【請求項５】
前記尿溜め容器はその上部に蓋が着脱自在で水密状に取り付けられており、前記尿移送用チューブ及び前記減圧用チューブは、その両チューブとも、端部に取付けられた継手と、該蓋に取付けられた相手方継手とからなるカップリング方式の着脱自在のワンタッチジョイントを介して接続されて該尿溜め容器に接続されていることを特徴とする請求項２〜４のいずれか１項に記載の携帯用小便器。
【請求項６】
前記尿溜め容器に移送された尿が、前記尿受けカップに向けて逆流するのを防止する逆止弁を備えていることを特徴とする請求項１〜５のいずれか１項に記載の携帯用小便器。
【発明の詳細な説明】
【技術分野】
【０００１】
本発明は、ドライブや野外活動においてトイレが無い状況下で用足しするのに便利な携帯用小便器に関する。
【背景技術】
【０００２】
自動車での移動中において道路渋滞等に遭遇し、尿意に襲われることは、まま経験するところであり、近くにトイレもなく、或いは、そこへの到達までに時間がかかる様な場合には、当人にとっては大変なことである。また、ハイキングや登山等の野外活動においてトイレ（便所）が無い状況下において尿意に襲われるときも、同様のことがいえる。このような問題は、尿意を短時間間隔で催す頻尿者においては深刻な問題であり、これが、行楽等への参加を躊躇させる原因ともなっている。
【０００３】
こうした対策として、携帯用小便器があり、それには尿収容部が、袋タイプのもの（特許文献１）と、容器タイプのもの（特許文献２、特許文献３）など、各種のものが提案されている。このうち、容器タイプのものは、ボトルタイプの尿収容部（尿溜め容器部）と、これの開口に装着され、その収容部への尿を円滑に収容するための広口状の尿受け部（尿受けカップ部）とを主要な構成とするものであり、尿収容部の開口にキャップや開閉弁が取付けられてはいるものの、使用時には、尿受け部（尿受けカップ部）と尿収容部（ボトル部分）とが一体化された状態のものにおいて、その尿受け部に放尿し、収容部に尿を直接、受け入れさせるものであるから、旧来からある尿瓶のような一体構造のものと、その基本構造は同様であり、相当程度の大きさのものとなる。
【先行技術文献】
【特許文献】
【０００４】
【特許文献１】実用新案登録第３１８１９０７号公報
【特許文献２】実開平３−４７８４号公報
【特許文献３】特開２００６−１５０００３号公報
【発明の概要】
【発明が解決しようとする課題】
【０００５】
上記したような携帯用小便器のいずれのものも、十分な室内空間のある自動車内であれば、その使用は可能といえるが、とくに容器（ボトル）タイプのものは、使用者の着衣であるズボンやスカート等の衣類の内側に、それを隠すようにしての使用（用足し）は、その大きさ等からして、特に男性では困難ないし不可能である。したがって、観光バス等のように他人の視線がある中や、野外であるとしても他人の出現が予想されるような場所では安易にその使用をすることはできない。
【０００６】
また、使用者自身が運転する自家用車内で、その停車中において用を足すのには使用できるとしても、それでも、昼間では他人の目を気にすることなく排尿を行うことは困難である。というのは、携帯用小便器を保持した状態で、尿受け部に向けて放尿する必要があり、男性であれば陰茎を露出させる必要があるし、女性でも、相応の体勢をとる必要があるためである。
【０００７】
本願発明は、このようなドライブや野外活動等におけるトイレ事情に鑑みてなされたもので、トイレもない状況下で尿意におそわれても、他人の目を気にすることもなく、しかも、使用時の体勢にも大きな制限もなく用足をすることのできる携帯用小便器を提供することを目的とする。
【課題を解決するための手段】
【０００８】
上記課題を解決するための請求項１にかかる発明の携帯用小便器は、尿受けカップと、尿溜め容器と、該尿受けカップと該尿溜め容器との間を接続する可撓性のある尿移送用チューブと、該尿移送用チューブを通して該尿受けカップに排出された尿を吸引し、前記尿溜め容器に移送するために該尿溜め容器内を減圧するよう設けられた減圧ポンプとを備えることを特徴とする。
【０００９】
請求項２かかる発明は、前記減圧ポンプの吸気口と前記尿溜め容器とが、可撓性のある減圧用チューブで接続されていることを特徴とする請求項１に記載の携帯用小便器である。
請求項３にかかる発明は、前記減圧ポンプは手動ポンプであることを特徴とする、請求項１又は２のいずれか１項に記載の携帯用小便器である。
請求項４にかかる発明は、前記減圧ポンプは電動ポンプであることを特徴とする、請求項１又は２のいずれか１項に記載の携帯用小便器である。
【００１０】
請求項５にかかる発明は、前記尿溜め容器はその上部に蓋が着脱自在で水密状に取り付けられており、前記尿移送用チューブ及び前記減圧用チューブは、その両チューブとも、そのそれぞれの端部に取付けられた継手と、該蓋に取付けられた相手方継手とからなるカップリング方式の着脱自在のワンタッチジョイントを介して接続されて該尿溜め容器に接続されていることを特徴とする請求項２〜４のいずれか１項に記載の携帯用小便器である。
請求項６にかかる発明は、前記尿溜め容器に移送された尿が、前記尿受けカップに向けて逆流するのを防止する逆止弁を備えていることを特徴とする、請求項１〜５のいずれか１項に記載の携帯用小便器である。
【発明の効果】
【００１１】
本発明の携帯用小便器は、前記尿受けカップと、前記尿溜め容器とが、前記尿移送用チューブを介するものの、別のものとなっている。このような構造では、携帯用小便器を構成する前記尿受けカップは、尿受けカップと尿溜め容器とが一体化されている従来のボトルタイプの携帯用小便器全体の大きさよりも小さいものとすることができる。このため、その使用に際しては、前記尿受けカップと、それに接続されている前記尿移送用チューブの一部を、着衣（例えばズボン、パンツ）の内側に入れ、そして、前記尿受けカップ中に放尿ができるように保持することも容易である。このため、本発明の携帯用小便器によれば、他人の目を気にすることなく用を足すことができる。そして、用を足したいときは、使用者自身でこのように前記尿受けカップを保持した後、前記ポンプを駆動しつつ、前記尿受けカップへ放尿をすればよい。このようにすることで排出された尿は、そのポンプの吸引作用により前記尿移送用チューブを通して前記尿溜め容器へ移送されるから、前記尿溜め容器を身体の例えば腰バックに入れておいたり、マイカー内に置いておくことで、他人の目を気にすることなく用を足せる。
【００１２】
すなわち、本発明においては、前記減圧ポンプを備えており、前記尿溜め容器への尿の移送（搬送）をそのポンプの駆動による吸引作用によることとしているから、前記尿溜め容器は尿受けカップより低位としなくとも、その使用ができるから、極めて使い勝手がよく、便利である。従来のように、尿溜め容器への尿の移送を重力落下に依存している場合には、尿溜め容器の位置は、必ず尿受けカップよりも低位となるようにして、携帯用小便器の全体を保持をしなければならないから、使用時の体勢にも制約がある。これに対し、本発明の携帯用小便器の使用においては、使用者が例え起立した状態でも、尿溜め容器は、上記したように、尿受けカップより高位の例えば使用者の腰に取付けておくことができる。同様に、マイカー内での使用においても、シートに座したままの使用をする場合でも、尿溜め容器はそのシートの上に置くこともできるため、使い勝手もよく、極めて便利である。なお、前記尿移送用チューブは適宜の長さとしておけばよい。
【００１３】
そして、請求項２に記載のように、前記減圧ポンプの吸気口と前記尿溜め容器とが、可撓性のある減圧用チューブで接続されているものでは、前記減圧ポンプを、前記減圧用チューブを適宜の長さとしておくことで、それを介して前記尿溜め容器と離れた位置に置くことができるから、例えば、前記尿溜め容器は腰バックに入れて保持し、前記減圧ポンプは上着のポケット内に保持しておくこともできる。これにより、携帯性を高めることができる。なお、前記減圧ポンプは、請求項３に記載のように、手動ポンプとしておくのが、小型簡易化が図り易く好ましいが、請求項４に記載のように、電動ポンプとしてもよい。そして、人の１回当たりの排尿の量は、通常、２００〜５００ｃｃ程度であり、またその排出流量（５〜２０ｃｃ／ｓｅｃ）も小さい。したがって、このような減圧ポンプは、前記尿溜め容器内にこのような尿を吸引できる程度に、該尿溜め容器内の空間を適度に負圧化（減圧）することができるものであればよい。すなわち、この減圧ポンプは、このような尿の吸引、移送が円滑にできる性能のものでよいから、必要な排気量も小さくてよく、排気速度性能も低くてすむから、廉価で公知の簡易構造の空気ポンプを用いることができる。なお、前記尿受けカップは、前記尿溜め容器への前記尿移送用チューブを介しての入り口（受け口）にすぎないから、減圧ポンプの駆動により、尿が溢出しない程度の空間があればよい。
【００１４】
また、請求項５に記載のように、前記両チューブを、前記尿溜め容器に接続しておくことで、前記尿溜め容器に溜まった尿の排出においては、両チューブを簡易に外すことができるため、使用後は、両チューブを外した状態の前記尿溜め容器をトイレに持ち込むことで、尿を簡易に廃棄することができる。本発明においては、請求項６に記載のように、逆流防止用の逆止弁を設けておくのが、安全のため好ましい。なお、その取付位置は、尿移送用チューブの適所に設ければよい。
【００１５】
本発明において、前記尿受けカップは、男性と女性に区別して、それぞれにおいて尿を受けやすい形状、構造にしておけばよい。男性用の尿受けカップは、一端が閉塞された筒状ないしエルボ形筒状をなし、その一端に尿移送用チューブの端を接続しておき、開口された他端側が、陰茎の挿入部とされるように形成しておくのがよく、筒状部の横断面（開口横断面）が円形のものとするのがよい。そして、尿受けカップ自体は樹脂製（硬質樹脂製、軟質樹脂製）でも、ゴム製でもよいなど、適宜の素材を用いることができる。なお、尿受けカップを硬質樹脂製とする場合には、その開口内周面には、その周方向に沿ってリング状をなすゴム製パッキンが取付けられているものとするのがよい。一方、女性用の尿受けカップは、尿道口を含む陰部を、その前後を左右よりも広範に包囲し、押圧ないし密着可能の楕円又は長円状の開口を有する漏斗形状とし、その底の適所に尿移送用チューブの端を接続しておくとよい。なお、該開口における前記陰部に押し付けられる周縁部位には、該開口の周方向に沿ってリング状をなすゴム製パッキンを取付けておくのがよい。
【図面の簡単な説明】
【００１６】
【図１】本発明の携帯用小便器を具体化した説明用の模式的一部断面図（破断面図）。
【図２】図１の携帯用小便器において尿溜め容器を分離したときの説明用の一部破断面図。
【図３】Ａは尿受けカップの別例を示す平面図、ＢはＡの中央横断面図。
【発明を実施するための形態】
【００１７】
本発明に係る携帯用小便器を具体化した実施の形態例１について、図１〜図３を参照しながら説明する。ただし、本例では、男性用の携帯用小便器１００であり、横断面円形のエルボ（筒）形状の尿受けカップ１０と、円筒ボトル状の尿溜め容器２０、そして、この両者の間を接続し、尿受けカップ１０に排出された尿を、この尿溜め容器２０に送り込む（流し込む）ための可撓性（柔軟性）のある尿移送用チューブ（円パイプ）３０、そして、尿溜め容器２０内を減圧するよう配管接続された減圧ポンプ４０などから構成されており、いずれも樹脂製とされている。
【００１８】
尿受けカップ１０は、円筒を９０度に屈曲ないし湾曲させた有底円筒形状をなし、その内径は陰茎を挿入できる大きさとされ、その開口１１の周縁端１２には、その内周面に周方向に沿ってクッション面が存在するようにリング状をなすゴム製パッキン１４が取付けられている。これにより、使用時（陰茎挿入時）における違和感の緩和が図られているが、本例のような男性用の携帯用小便器１００の尿受けカップ１０は、その全体を変形が容易、或いは柔軟なゴム製ないし樹脂製としてもよい。ただし、使用者自身の手で把持して、例えば潰した後、元の形に復帰できるような弾性のあるものとするのが好ましい。
【００１９】
尿溜め容器２０は、円筒ボルト状をなし、容器本体２１と、その上端部に、ネジ込みによる着脱方式で取り付けられている蓋２５とを主体として構成されている。すなわち、尿溜め容器２０は、容器本体２１の上端の外周面に形成されたオネジ２３に、蓋２５の内周面に形成されたメネジ２６をねじ込むことで構成されている。なお、容器本体２１の上端には、ゴムパッキン（リングパッキン）２７が介在され、そのネジ込みでこれを圧縮することで、水密（及び気密）が保持されている。減圧ポンプ４０は、本例では手動ポンプとされており、上端の蛇腹４２の押し下げを繰り返す駆動をすることで、その吸気口４３から吸引する空気を、排気口４５から排出する公知の簡易ポンプ（簡易空気ポンプ）を使用している。
【００２０】
上記した尿受けカップ１０の開口１１と反対側の端の底部１６には、尿移送用チューブ３０の一端３０ａが水密（及び気密）を保持して接続されており、その他端３０ｂが尿溜め容器２０の蓋２５に水密（及び気密）を保持して接続されており、尿受けカップ１０内と尿溜め容器２０内（内部空間２０ｋ）との連通が確保されている。また、尿溜め容器２０の蓋２５には、減圧ポンプ（手動ポンプ）４０の吸気口４３に一端５０ａが接続された減圧用チューブ５０における他端５０ｂが気密を保持して接続されており、手動ポンプ４０の駆動により尿溜め容器２０内を減圧できるようにされている。なお、尿溜め容器２０の容量は、１回の標準排尿量に対し、適度の安全率を加味して設定すればよく、例えば、その内容量は１リットル程度に設定されている。また、両チューブ３０，５０とも、例えば、ビニール製などの可撓性のある素材からなるチューブとされており、いずれも、内径は、５ｍｍとされている。
【００２１】
また、本例では両チューブ３０，５０とも、その他端３０ｂ，５０ｂにおける蓋２５への接続は、そのそれぞれの端部に取付けられた継手３３，５３と、該蓋２５に取付けられた相手方継手３５，５５とからなるカップリング方式の着脱自在のワンタッチジョイント３７，５７を介して接続されており、その接続（着脱）のワンタッチ化が図られている。ただし、尿移送用チューブ３０は、蓋２５の上部に取付けられた９０度エルボ継手３０ｅに固着された相手方継手（メス継手）３５に対し、尿移送用チューブ３０の他端３０ｂに取付けられた継手（オス継手）３３を、着脱自在に嵌合するワンタッチジョイント３７とされている。そして、減圧用チューブ５０もそれと同様、蓋２５の上部に取付けられた９０度エルボ継手５０ｅに固着された相手方継手（メス継手）５５に対し、減圧用チューブ５０の他端５０ｂに取付けられた継手（オス継手）５３を、着脱自在に嵌合するワンタッチジョイント５７とされている。なお、両エルボ継手３０ｅ，５０ｅにおける蓋２５の内側（容器本体２１内側）には、適宜の長さの尿導入管３０ｇ，空気吸引管５０ｇが垂れ下げ状に延設されている。また、尿溜め容器２０内には、垂れ下げ状に延設されているこの２つの管を仕切る仕切り板２８が、蓋２５の下面から垂れ下がり状に設けられている。
【００２２】
なお、本例では両チューブ３０，５０を、それぞれ図１のジョイント状態から分離したとき（図２参照）、その各他端３０ｂ，５０ｂに取付けられている継手３３，５３と、蓋２５に取付けられている相手方継手３５，５５は、それぞれ閉弁となる機構を含むものとされている。したがって、このように両チューブ３０，５０を、各ジョイント状態から分離したときは、尿移送用チューブ３０の他端３０ｂから、そのチューブ内に残存している尿が漏れない設定とされ、尿溜め容器２０における蓋２５に取付けられている各相手方継手３５、５５からも、尿溜め容器２０内の尿が漏れ出ないようにされている。
【００２３】
しかして、このような本例の携帯用小便器１００においては、減圧ポンプ４０を駆動することにより、尿溜め容器２０の内部（空間）２０ｋの空気は破線矢印で示したように減圧用チューブ５０内を流れて減圧ポンプ４０の排気口４５から排気される。これにより、その駆動をしつつ、尿受けカップ１０内に放尿時程度の流量で、図１中に示したように、例えば水Ｗを注入すると、尿移送用チューブ３０が閉塞されるため、尿溜め容器２０の内部（空間）２０ｋは急減圧される。結果、その水Ｗは、尿移送用チューブ３０内を実線矢印で示したように流れ、通過し、尿溜め容器２０内に吸引され、落下、回収される構成されている。なお、本例での減圧ポンプ４０は手動ポンプであり、手押し式の例えば、海水浴遊具である浮き輪に空気を供給する程度の排気性能の空気ポンプでも十分であり、このようなものでは、そのポンプの大気吸気口（吸入口）４３側を、減圧用チューブ５０を介し尿溜め容器２０に接続すればよい。すなわち、携帯用小便器１００で吸引処理すべき１回の尿の量、流量は上記したように僅かであるから、簡易な空気ポンプの使用で十分である。なお、本例では手動ポンプとしたが、電動ポンプとする場合にも、乾電池式等の小型モータを用いるもので十分である。
【００２４】
さて、次に上記した本例携帯用小便器１００の使用方法（例）について説明する。使用者は、排尿に際し、或いは、排尿に備え、尿受けカップ１０を着衣（例えばズボン）内に入れ、陰茎を尿受けカップ１０の開口１１に矢印Ａ１で示したように挿入する。そして、適宜、両脚を閉じる等して該尿受けカップ１０を股間に保持する。このとき、ボクサータイプのアンダーパンツを装着しておくと、そのパンツ内において、尿受けカップ１０を体に安定して保持させることができる。
【００２５】
一方、尿移送用チューブ３０は、例えば、下腹部を沿わすようにしてズボンの上部から取り出すようにする。他方、このチューブ３０が接続されている尿溜め容器２０は、例えば、事前に腰バック内に、減圧ポンプ４０と共に収容しておくなどし、この腰バックを自身の腰に取付けておく。そして、自身でそのポンプ４０を駆動しながら、排尿を開始する。この排尿開始により、尿受けカップ１０内には尿が排出されるが、それと同時に、尿移送用チューブ３０内が尿で閉塞され、尿溜め容器２０の内部空間２０ｋは急減圧されるため、排出された尿は、尿移送用チューブ３０を通って尿溜め容器２０に流れ込む（移送される）。かくして使用者は、排尿終了まで、減圧ポンプ４０を駆動操作することで、用を足すことができる。
【００２６】
上述したように、このような使用においては、外観上、尿受けカップ１０は他人に見られないですむ。このため、例え、観光バス内や、野外などでも、従来の携帯用小便器における使用に比べると、他人の目線を気にせず排尿できる。すなわち、尿受けカップ１０は、あくまで尿溜め容器２０への受け入れ口に過ぎないから、その尿受けカップ１０自体は、従来の尿溜め容器と一体をなす携帯用小便器のように大きくなることはないから、着衣の内側に保持できる。そして、尿溜め容器２０は、腰バックに収容する等することで、外観上の違和感を招くこともない。したがって、安心して用を足せる。これにより、このような携帯用小便器１００を携帯することで、頻尿者でも、臆することなく、行楽等を楽しむことができる。
【００２７】
また、例えば、マイカーで移動中の尿意による排尿対策とする場合には、適所に車を止め、尿受けカップ１０を取り出し、ズボン内において上述したのと同様に、自身の股間に尿受けカップ１０を保持する。一方、尿移送用チューブ３０が接続されている尿溜め容器２０は、車内のフロアに置いてもよいが、上述したように、そのチューブ３０を下腹部を沿わすようにして取り出し、例えば、シートに置いての使用もできる。すなわち、排出された尿は、従来のように単なる重力による自然落下方式で尿溜め容器に移送するのではなく、減圧による吸引で移送されるものであるから、尿溜め容器２０を放尿用の尿受けカップ１０より高位に保持できるためである。これにより、特に頻尿者においては、本例の携帯用小便器１００をマイカーに搭載しておくことで、渋滞に遭遇しても安心を得ることができる。
【００２８】
なお、用足し後は、両チューブ３０，５０をその端の各ワンタッチジョイント３７，５７において、上述したように蓋２５から外し、蓋２５付きの尿溜め容器２０を持って適所のトイレに行き、蓋２５を、そのねじを緩めて外して内部に溜まった尿を便器に捨て、次に備えればよい。この場合、本例では、上述したように、両チューブ３０，５０を外したとき、その各端３０ｂ，５０ｂの継手３３，５３、及び蓋２５側における相手方継手３５，５５についても閉弁となる機構を含むものであるから、尿溜め容器２０をトイレまで運ぶ過程においても、その各継手からの尿漏れもない。これにより、周囲を汚す心配もなく、その使用や処理ができる。
【００２９】
本例では、減圧ポンプ４０は、その吸気口４３を尿溜め容器２０に減圧用チューブ５０を介して接続したが、このようなチューブを用いることなく、その吸気口４３を尿溜め容器２０に直接、配管、接続してもよい。電動ポンプのように、小型化が図られるものでは、このようにすることで、ポンプ付きの尿溜め容器２０とすることができ、より小型化が図られる。一方、本例のように、減圧用チューブ５０を介して減圧ポンプ４０を接続する場合には、減圧ポンプ４０の保持、設置位置をそのチューブの長さの範囲で選択できるので便利である。なお、図１中に示したように、尿移送用チューブ３０の適所、特に、尿受けカップ１０に近い位置（部位）に、尿溜め容器２０に向けて移送される尿が、尿受けカップ１０に向けて逆流するのを防止する逆止弁Ｃｖを設けておくとよい。
【００３０】
上記例では、尿受けカップ１０は、男性用としたため、筒状のものとしたが、女性用とする場合には、尿道口を含むその近傍の体形に応じ、放尿時における尿が漏れたり溢れたりすることなく尿受けし易い開口の形状を有する漏斗状の形状にするとよい。図３は、その１例を示したものであり、本例の尿受けカップ１０ｂは、開口１１が、図示左右に長いものとなるように、その開口端１２が楕円ないし長円をなして漏斗形状を呈するように形成されており、その底部１６ｂに、尿移送用チューブ３０の一端３０ａを接続したものである。
【００３１】
本発明に係る携帯用小便器は、以上、詳述した実施例等のものに限定されるものではなく、その要旨を逸脱しない範囲において、適宜に変更して具体化できる。そして、上述したように、本発明に係る携帯用小便器は、その使用において、尿受けカップの保持と、減圧ポンプの駆動が必要とはなるものの、そのためには、手を自由に動かすことができればよい。よって、本発明に係る携帯用小便器は、自動車等の乗り物での移動中や野外活動中におけるトイレ対策としてだけでなく、例えば、歩行困難者や寝たきりの者であるとしても、手を自由に動かせる者であれば、補助者（介助者）がいなくとも、その者自身での用足しもできるから、そのような者の排尿対策としても有効である。
【符号の説明】
【００３２】
１０  尿受けカップ
２０  尿溜め容器
２５  蓋
３０  尿移送用チューブ
３３，５３  継手
３５，５５  相手方継手
３７，５７  ワンタッチジョイント
４０  減圧ポンプ
４３  減圧ポンプの吸気口
５０  減圧用チューブ
１００  携帯用小便器
Ｃｖ  逆止弁
【図１】
2018130359.tif 000003
【図２】
2018130359.tif 000004
【図３】
2018130359.tif 000005